(57)【要約】      （修正有）【課題】顔面とマスクとの間の隙間をなくし、衛生を確保するとともに、水分を多く含む呼気が眼鏡に当たることによる、レンズの曇りを防止するマスクを提供する。【解決手段】マスクは、マスク本体１を有し、マスク本体１の周縁に沿って、全周的に多層粘着剤２が接合されており、多層粘着剤２は、第１の粘着剤と、基材層と、第２の粘着剤とが、この順に積層されており、多層粘着剤２が、第１の粘着剤によってマスク本体１に接合され、第１の粘着剤の粘着力は、第２の粘着剤の粘着力よりも強い多層粘着剤２によって、マスクの周縁全体を顔面に密着させることにより、顔面とマスクとの間の隙間の発生を防止することができる。これによって、マスクがより外れにくくなり、衛生機能が向上し、さらに呼気が眼鏡に当たることによるレンズの曇りを防止することができる。【選択図】図１
0003231897.tif 000002
【実用新案登録請求の範囲】
【請求項１】
マスク本体の周縁に沿って、全周的に多層粘着剤が接合されており、
前記多層粘着剤は、第１の粘着剤と、基材層と、第２の粘着剤とが、この順に積層されており、
前記多層粘着剤が、前記第１の粘着剤によって前記マスク本体に接合され、
前記第１の粘着剤の粘着力は、前記第２の粘着剤の粘着力よりも強い、
マスク。
【考案の詳細な説明】
【技術分野】
【０００１】
本考案は、周縁全体を粘着剤で顔面に貼り付けて装着する、口と鼻とを覆う衛生用マスクに関する。
【背景技術】
【０００２】
マスクは、病気の感染拡大の予防、花粉やＰＭ２．５のような微粒子の吸引防止などを目的に、広く使用されている衛生用品である。また、口腔や喉の湿潤を保つことや、化粧をしていない顔を隠すことなど、より広範な用途で用いられることもある。
【０００３】
マスクは一般に、ガーゼなどの織布または不織布で構成されたマスク本体に、マスク本体を口と鼻を覆う位置に固定するための耳かけ紐が付属している。多くの場合、耳かけ紐は伸縮性を有する素材で製造され、伸ばしながら耳にかけ、縮む力によって本体を固定する構造となっている。あるいは、紐を耳にかけるのではなく、紐を後頭部に回して固定する構造のものも存在する。後頭部でマスクを固定するものは、医療現場のような長時間の使用を想定する場合や、顔面への密着性が求められる場合に使用される。
【０００４】
マスクは、使用者の口と鼻とを覆うことによって衛生を確保する用具であるが、適切な方法で着用しなければ、十分な効果が発揮されない場合がある。例えば、鼻を露出させて着用すると、鼻からの吸気が濾過されず、効果を減ずることとなる。さらに、口と鼻とを覆う位置にマスク本体を当て、耳かけ紐によって固定しても、顔面とマスクとの隙間を完全になくすことはできない。
【０００５】
また、マスクを眼鏡と同時に着用する場合、特に冬季には、レンズが曇るという問題が発生しうる。呼気には多くの水分が含まれるため、これが冷えたレンズに当たると結露として現れ、レンズが曇ることとなる。眼鏡を単独で使用している場合には、レンズに当たる呼気の量は少なく、このような問題は生じない。しかしながら、マスクを着用することで、呼気がマスクと顔との隙間を通って上方に抜け、眼鏡の方向へ導かれる。そのため、レンズに当たる呼気の量が増加し、曇りを生じうる。
【０００６】
特許文献１には、長方形平面状マスクの基布の上辺部で、鼻骨から左右の鼻翼溝および鼻翼基部に至る皮膚を覆う部分に、シリコン素材の帯状粘弾性粘着シートが連続して圧着され、加えて、マスクの基布の下辺部および左右辺部に、前記帯状粘弾性粘着シートが連続して圧着されていることを特徴とするマスクが開示されている。しかしながら、顔面に粘着させたマスクを取り外す際に、痛みや不快感を覚えるという新たな課題を生じており、この点について、改善の余地がある。
【先行技術文献】
【特許文献】
【０００７】
【特許文献１】特開２０１４−１７１９１５号公報
【考案の概要】
【考案が解決しようとする課題】
【０００８】
マスクを耳かけ紐によって、使用者の口と鼻とを覆う位置に固定しても、顔面とマスクとの間の隙間を完全になくすことはできない。そのため、衛生を確保する機能には改善の余地がある。また、マスクと眼鏡を同時に着用する場合、水分を多く含む呼気が、この隙間を通過して眼鏡に当たり、レンズの曇りを生じる場合がある。このような問題に対処するため、着用時にマスクと顔面との間に隙間が生じないように、粘着剤によって密着させることが提案されている。しかしながら、従来の解決策には、マスクを取り外す際に痛みや不快感を覚えるという欠点がある。
【課題を解決するための手段】
【０００９】
上記課題を解決するため、本考案は、マスク本体の周縁に沿って、全周的に多層粘着剤が接合されており、多層粘着剤は、第１の粘着剤と、基材層と、第２の粘着剤とが、この順に積層されており、多層粘着剤が、第１の粘着剤によってマスク本体に接合され、第１の粘着剤の粘着力は、第２の粘着剤の粘着力よりも強い、マスクを提供する。
【考案の効果】
【００１０】
本考案のマスクは、多層粘着剤によって、マスクの周縁全体を顔面に密着させることにより、顔面とマスクとの間の隙間の発生を防止することができる。これによって、マスクがより外れにくくなり、衛生機能が向上し、さらに呼気が眼鏡に当たることによるレンズの曇りを防止することができる。顔面に当接する第２の粘着剤は、弱い粘着力を有する。したがって、マスクを取り外す際に顔面の皮膚が受ける刺激が抑えられ、痛みや不快感を防止することができる。
【図面の簡単な説明】
【００１１】
【図１】本考案のマスクを示す平面図である。
【図２】本考案の多層粘着剤を模式的に示す断面図である。
【考案を実施するための形態】
【００１２】
本考案のマスクは、マスク本体の材料として、一般的な衛生マスクに用いられる、通気性を有する織布または不織布を用いることができる。マスク本体の形状は、例えば略四角形である。すなわち、４つの頂点を有し、これらの頂点を線で結んだ形状である。ただし、各辺は必ずしも直線でなくてもよく、所望により、曲線で結んだ形状であってもよい。また、頂点は必ずしも角をなさなくてもよく、例えば、滑らかな曲線によって各辺をつないでもよい。本考案のマスクはさらに、本体材料をずらしながら折り重ねたプリーツを備えてもよく、着用時には広げて変形させることが可能であってもよい。なお、本件はＫＮ９５マスク、Ｎ９５マスク、あるいは立体マスク、不織布マスクなどについても、周縁に粘着剤を貼ることで同様の密閉効果が得られ、これらを排除するものではない。
【００１３】
本考案のマスクは、マスク本体の周縁に沿って接合された、多層粘着剤によって顔面に貼り付けることができる。そのため、従来のマスクが通常備える、耳かけ紐などの固定部材を有しなくてもよい。長時間にわたってマスクを耳にかけていると痛みを生じる場合があるが、本考案のマスクでは、このような痛みの発生を防止することができる。
【００１４】
従来のマスクは、マスクの形状を一定の形状に保持するための形状保持部材、例えばノーズピースを有することが多い。ノーズピースとは、マスク本体の上部に配置され、マスクの形状を、鼻の周辺の形状に合わせて保持する部材である。多くの場合、ノーズピースは、樹脂や金属のように変形性と形状保持性とを兼ね備える材料から作製される。なお、安全性の観点から、樹脂が好ましく用いられる。使用者が着用時に、ノーズピースを自身の顔面の曲線に合わせて変形させることによって、隙間の発生を軽減することができる。マスクの形状と顔面の曲線とが一致することによって、マスクと顔面との間の密着性を高めることができる。ただし、本考案のマスクでは、多層粘着剤によってマスクの形状を顔面の形状に合わせて保持することができるため、ノーズピースなどの形状保持部材を有しなくてもよい。
【００１５】
本考案において、マスクの周縁とは、マスク本体の輪郭およびその付近を意味する。一例として、長方形のマスクによる平面図を図１に示す。この場合、マスク本体の輪郭とは、長方形を構成する４辺を指し、周縁にはその付近を含む。周縁に沿って、すなわち４辺すべてに多層粘着剤を有することによって、マスク着用時には、使用者の鼻と口とを含む領域の上下左右が多層粘着剤によって囲まれることになる。したがって、マスクが周縁４辺において顔面に密着し、隙間の発生を防止することができる。ただし、「周縁に沿って」とは、必ずしもマスク本体の輪郭を含むことを指すものではない。例えば、多層粘着剤は、マスク本体の輪郭から１ｃｍ程度、内側に配置されてもよい。また、「全周的に」とは、周縁全体にわたって大きな空白を有しないことを指す。すなわち、一切の空白を含まないことを表すものではなく、例えば、周縁の一部に１ｃｍ未満の多層粘着剤を有しない部分が含まれてもよい。粘着面積が増加すると使用者への負荷が大きくなるため、周縁に垂直な方向の多層粘着剤の幅は、通常１ｃｍ以下であり、３ｍｍ程度が好ましい。
【００１６】
本考案において、多層粘着剤とは、複数の組成物が積層されており、外界に露出している面が粘着力を有する材料を指す。本考案においては、図２に示すように、基材層と、基材層の一方の面に配置された第１の粘着剤と、基材層の他方の面に配置された第２の粘着剤とを含む。なお、図面は概略を表すものに過ぎず、実際の厚さに比例して描画されたものではない。多層粘着剤の各層は軟質であり、使用者がマスクを折り曲げたときに、容易に追従して変形する程度に低い剛性を有する。
【００１７】
本考案においては、第１の粘着剤は、第２の粘着剤よりも強い粘着力を有する。第１の粘着剤は、十分に強い粘着力を有し、マスクと多層粘着剤とを接合する役割を果たす。一方、第２の粘着剤は、マスクと使用者の顔面とを密着させる効果を有する。第２の粘着剤の粘着力が弱いことによって、密着させたマスクを取り外す際に使用者の皮膚にかかる負荷を、低減することができる。また、各粘着剤の粘着力がこのような大小関係を有することによって、顔面に貼り付けたマスクを取り外す際に、多層粘着剤がマスクから剥がれることを回避することができる。
【００１８】
多層粘着剤が含む粘着剤は、前述の関係を満足する範囲内で、任意の材料を用いることができる。例えば、マスクと基材とを接合するための第１の粘着層には、工業用の粘着力の強い成分を用いてよい。一方、使用者の顔面と当接する第２の粘着剤については、皮膚への有害作用を生じない、十分な安全性を有することが求められる。例えば、弱粘着性のアクリル系粘着剤が、好ましく用いられる。
【００１９】
本考案のマスクはさらに、第２の粘着剤の上に剥離材を有してもよい。第２の粘着剤を剥離材で覆って提供することによって、利便性を向上させることができる。剥離材は、スリットによって複数に分割されていてもよい。使用者は、スリットに沿って多層粘着剤を山折りすることによって、剥離材を容易に多層粘着剤から剥がすことができる。
【００２０】
なお、本考案は上記の実施形態に限定されるものではなく、本考案の趣旨に基づいて種々変形させることが可能であり、それらを本考案の範囲から排除するものではない。
【符号の説明】
【００２１】
１  マスク本体
２  多層粘着剤
３  第１の粘着層
４  基材層
５  第２の粘着層
６  剥離材
７  スリット
【図１】
0003231897.tif 000003
【図２】
0003231897.tif 000004